(57)【特許請求の範囲】
【請求項１】
セメントを投入するセメントホッパと、グラウトの練り混ぜを行うグラウトミキサと、このグラウトミキサへ供給する水を貯めておく貯水タンクと、前記グラウトミキサで生成されたグラウトを圧送するグラウトポンプと、このグラウトポンプから圧送されたグラウトに生じる脈動を低減する脈動低減装置と、前記セメントホッパを吊り上げ前記グラウトミキサの上部へ導く揚重装置と、を含み、前記脈動低減装置は、ボンベを有し、このボンベの内壁にはグラウトが衝突し、その脈動を低減させるプレートが、ボンベ内に進入してくるＰＣグラウトをほぼ正面で受け止めることができるように設けられていることを特徴とするプレストレストコンクリートグラウト用ユニット。
【請求項２】
ボンベの一方側の上部に、グラウトポンプから圧送されたグラウトをボンベの内部に導く取入管が接続され、ボンベの他方側の下部に、グラウトを定着具へ送る排出管が接続され、プレートはボンベ内の前記取入管と前記排出管の中間の上部に下向きに設けられていることを特徴とする請求項１記載のプレストレストコンクリートグラウト用ユニット。
【請求項３】
前記グラウトミキサで生成されたグラウトを攪拌するアジテータを備えたことを特徴とする請求項１または２に記載のプレストレストコンクリートグラウト用ユニット。
【請求項４】
前記貯水タンクから前記セメントホッパへ定量の水を給水する計量水タンクを備えたことを特徴とする請求項１ないし３に記載のプレストレストコンクリートグラウト用ユニット。
【請求項５】
前記ユニットを構成する各機器は取り外し可能であることを特徴とする請求項１ないし４の何れかに記載のプレストレストコンクリートグラウト用ユニット。
【発明の詳細な説明】
【０００１】
【発明の属する技術分野】
本発明は、ＰＣ（プレストレストコンクリート）グラウトを生成するためのＰＣグラウト用ユニットに関する。
【０００２】
【従来の技術】
所定の性能を有するＰＣグラウトを生成するためには、混和剤はもとより、材料の混入、練り混ぜ、注入等を行う各ＰＣグラウト機器の性能が極めて重要である。このため、従来は、生成するＰＣグラウトの特性に合わせ、最適なＰＣグラウト機器を個別に選定し、これらを現場に運び、それぞれの機器を組み合わせて作業を行う必要があった（非特許文献１を参照）。
【０００３】
【非特許文献１】
「ＰＣグラウト＆プレグラウトＰＣ鋼材施工マニュアル（改訂版）」社団法人プレストレスト・コンクリート建設業協会編、１９９９年、２５頁、図３．５
【０００４】
【発明が解決しようとする課題】
しかし、このように、ＰＣグラウト施工ごとに用いるＰＣグラウト機器を選定・組み合わせることは、煩雑である。加えて、ＰＣグラウト生成には複数のＰＣグラウト機器が必要とされることから、これらの機器を個別に現場に運び込まなければならず、作業効率が低下する。また、従来の方法では、新規格である「ノンブリーディングタイプ」の良質なＰＣグラウトの連続供給は困難である。
【０００５】
本発明は、上記のような従来技術の有する問題点に鑑みなされたものであり、その目的は、ＰＣグラウト施工に必要な機器がコンパクトに一体化され、安全で作業効率を向上させうるＰＣグラウト用ユニットを提供することにある。また、新規格に適合する良質なＰＣグラウトの連続供給に最適なＰＣグラウト用ユニットを提供することも本発明の目的である。
【０００６】
【課題を解決するための手段】
本発明の請求項１に記載のＰＣグラウト用ユニットは、上記目的を達成するため、セメントを投入するセメントホッパと、グラウトの練り混ぜを行うグラウトミキサと、このグラウトミキサへ供給する水を貯めておく貯水タンクと、前記グラウトミキサで生成されたグラウトを圧送するグラウトポンプと、このグラウトポンプから圧送されたグラウトに生じる脈動を低減する脈動低減装置と、前記セメントホッパを吊り上げ前記グラウトミキサの上部へ導く揚重装置と、を含み、前記脈動低減装置がボンベを有し、このボンベの内壁にグラウトが衝突し、その脈動を低減させるプレートが、ボンベ内に進入してくるＰＣグラウトをほぼ正面で受け止めることができるように設けられていることを特徴とする。
本発明の請求項２に記載のＰＣグラウト用ユニットは、請求項１に記載のＰＣグラウト用ユニットにおいて、ボンベの一方側の上部に、グラウトポンプから圧送されたグラウトをボンベの内部に導く取入管が接続され、ボンベの他方側の下部に、グラウトを定着具へ送る排出管が接続され、プレートはボンベ内の前記取入管と前記排出管の中間の上部に下向きに設けられていることを特徴とする。
本発明の請求項３に記載のＰＣグラウト用ユニットは、請求項１または２に記載のＰＣグラウト用ユニットにおいて、前記グラウトミキサで生成されたグラウトを攪拌するアジテータを備えたことを特徴とする。
本発明の請求項４に記載のＰＣグラウト用ユニットは、請求項１ないし３の何れかに記載のＰＣグラウト用ユニットにおいて、前記貯水タンクから前記セメントホッパへ定量の水を給水する計量水タンクを備えたことを特徴とする。
本発明の請求項５に記載のＰＣグラウト用ユニットは、請求項１ないし４の何れかに記載のＰＣグラウト用ユニットにおいて、当該ユニットを構成する各機器が取り外し可能であることを特徴とする。
【０００７】
【発明の実施の形態】
以下、図示した実施の形態に基づき、本発明を詳細に説明する。本発明は、ノンブリーディングタイプのＰＣグラウト生成に最適なＰＣグラウト用ユニットに関する。
【０００８】
図１は、本発明のＰＣグラウト用ユニットの構成を示す斜視図である。本発明のＰＣグラウト用ユニットは、セメントホッパ１、グラウトミキサ２、貯水タンク３、計量水タンク４、アジテータ５、グラウトポンプ６、脈動低減装置７、およびウィンチ８を含み構成される。
【０００９】
セメントホッパ１は、ハンドルを回転することにより一定の間隔で内部のセメントをグラウトミキサ２へ投入する。このセメントホッパ１は、セメントを一定量に分離して一定の間隔でグラウトミキサ２へ投入できるように工夫されたものである。したがって、グラウトミキサ２に投入するセメントの量を制御でき、そのセメントが大きなかたまりになるのを防止できる。この結果、生成するＰＣグラウトの品質を一定に保ち、品質の安定したＰＣグラウトの連続供給が可能になる。特に、ノンブリーディングタイプのＰＣグラウトの生成には最適である。
グラウトミキサ２は、セメントホッパ１から投入されたセメントに水を加えて練り混ぜ、ＰＣグラウトを生成する。
貯水タンク３は、グラウトミキサ２へ供給する水を貯めておくものである。計量水タンク４は、貯水タンク３の水を汲み上げ、定量の水をグラウトミキサ２へ供給するものである。
アジテータ５は、グラウトミキサ２で生成されたＰＣグラウトを攪拌するためのものである。
グラウトポンプ６は、アジテータ５内のＰＣグラウトを圧送するためのものである。
脈動低減装置７は、グラウトポンプ６から圧送されたグラウトに生じる脈動を低減するためのものである。また、脈動低減装置７には、内部気圧等を示す計器類が設けられている。
ウィンチ８は、セメントホッパ１を吊り上げグラウトミキサ２の上部に配置する揚重装置である。
このように、本発明のＰＣグラウト用ユニットは、良質のＰＣグラウト施工のために必要な機器がコンパクトに一体化されている。
【００１０】
図２は、本発明のユニットにおいてセメントホッパ１を搭載していない状態を示す図である。本発明のユニットでは、図２に示す状態から、ウィンチ８でセメントホッパ１を吊り上げ、図１に示すように、セメントホッパ１をグラウトミキサ２の上部へ配置することができる。また、逆に、ウィンチ８を使用することによって、グラウトミキサ２の上部に配置されているセメントホッパ１をユニットから取り外し、そのセメントホッパ１をユニット近傍の地面上に下ろすこともできるようになっている。このため、本発明のユニットでは、はじめユニット近傍の地面上に置かれたセメントホッパ１に必要な量のセメントを投入した後、ウィンチ８を使ってそのセメントホッパ１をグラウトミキサ２の上部へ配置することができる。したがって、あらかじめグラウトミキサ２の上部に配置された高い位置にあるセメントホッパ１に人力でセメントを投入していた従来の方法に比べ、本発明のユニットを用いることでセメントホッパ１へのセメント投入作業を比較的容易に行なえるようになる。
【００１１】
図３は、本発明のユニットの稼動時の様子を示す図である。図では、グラウトポンプ６がアジテータ５内のＰＣグラウトを脈動低減装置７を介して定着具９へ圧送している様子が示されている。グラウトポンプ６は、内部に備えられたロータを回転させることによりＰＣグラウトを圧送する。このため、グラウトポンプ６によって送り出されるＰＣグラウトの圧力は一定にはならず、どうしても圧送されるＰＣグラウトに脈動が生じてしまう。また、本発明のユニットと定着具９との間の距離が大きい場合、どうしても送り出すＰＣグラウトの圧力を大きくせざるをえず、これもＰＣグラウトに脈動を生じさせる原因となる。
一般に、ＰＣグラウトを定着具９へ導くために用いるチューブのうち、定着具９に直接接続される部分（チューブ１０）には作業効率やコスト等の問題から使い捨てタイプのものが用いられる。使い捨てタイプのチューブの場合、コストを低減させる目的で耐圧力があまり強いものを採用することはできない。このため、チューブ１０に送られるＰＣグラウトに強い脈動が生じている場合、この脈動のためにチューブ１０が破裂し、思わぬ事故が発生するおそれがある。
そこで、このような危険を未然に防止するため、本発明のユニットでは、グラウトポンプ６から圧送されるＰＣグラウトに生じる脈動を低減させるための脈動低減装置７を設けている。
【００１２】
図４は、脈動低減装置７の内部構造を示す断面図である。脈動低減装置７の内部にはボンベ７１が備えられている。ボンベ７１の内壁にはプレート７２が設けられている。グラウトポンプ６によって圧送されたＰＣグラウトは、ボンベ７１の取入管７３からボンベ７１の内部に導かれる。そして、ボンベ７１の内部に導かれたＰＣグラウトはプレート７２に衝突し、ボンベ７１の下部に設けられた排出管７４から定着具９へ送られる。この間、プレート７２に衝突することでＰＣグラウトの脈動が低減される。このプレート７２は、ボンベ７１内に進入してくるＰＣグラウトをほぼ正面で受け止めることができるように設けられている（プレート７２はＰＣグラウトの進入方向に対しほぼ直角の方向にのびている）。これだけでも、ＰＣグラウトに生じる脈動の強度を２分の１以下に低減させることが可能である。
なお、本発明のユニットで生成されるＰＣグラウトの特性（粘性等）によっては、ボンベ７１の内壁に設けるプレート７２の角度を変えることもできる。また、プレート７２の枚数を増やしてもよい。すなわち、ＰＣグラウトに生じる脈動の強度を所定の値以下に低減できれば、プレート７２の角度や枚数は任意に選択できる。
【００１３】
以上説明したように、本発明のＰＣグラウト用ユニットは、図１に示すように、ＰＣグラウト施工のために必要な機器がコンパクトに一体化されているので、現場への運搬が容易である。特に、セメントホッパ１においてグラウトミキサ２に投入するセメントの量を制御できるため、生成するＰＣグラウトの品質を一定に保ち、品質の安定したＰＣグラウトの連続供給が可能になる。加えて、ＰＣグラウトの圧送時に生じる脈動を低減する脈動低減装置７を設けたことで、材料の投入、練り混ぜ、ＰＣグラウトの注入といった一連の作業が安全に効率よく行える。
【００１４】
また、本発明のＰＣグラウト用ユニットは、各機器が取り外し可能である。したがって、各ＰＣグラウト機器を単体で使用することができるし、生成するＰＣグラウトの特性に合わせて用いるＰＣグラウト機器の組み合わせを変更することも可能である。したがって、ＰＣグラウト施工の規模ごとに最適なユニットを構成すれば、各ＰＣグラウト機器の組み合わせ作業を省略でき、ＰＣグラウト施工に取り掛かるまでの時間短縮にもなる。
【００１５】
以上、本発明の一実施形態を図面に沿って説明した。しかしながら本発明はこの実施の形態に示した事項に限定されず、特許請求の範囲の記載に基づいてその変更、改良等が可能であることは云うまでもない。必要であれば、ユニットに他の機材を追加して用いることもできる。
【００１６】
【発明の効果】
上述のように、本発明によれば、ＰＣグラウト施工に必要な機器がコンパクトに一体化され、安全で作業効率を向上させうるＰＣグラウト用ユニットを提供することができる。また、新規格に適合する良質なＰＣグラウトの連続供給に最適なＰＣグラウト用ユニットを提供することができる。
【図面の簡単な説明】
【図１】本発明のＰＣグラウト用ユニットの構成を示す斜視図である。
【図２】本発明のユニットにおいてセメントホッパ１を搭載していない状態を示す図である。
【図３】本発明のユニットの稼動時の様子を示す図である
【図４】脈動低減装置７の内部構造を示す断面図である。
【符号の説明】
１  セメントホッパ
２  グラウトミキサ
３  貯水タンク
４  計量水タンク
５  アジテータ
６  グラウトポンプ
７  脈動低減装置
８  ウィンチ
９  定着具
１０  チューブ
７１  ボンベ
７２  プレート
７３  取入管
７４  排出管
【図１】
0003720319.tif 000002
【図２】
0003720319.tif 000003
【図３】
0003720319.tif 000004
【図４】
0003720319.tif 000005